(57)【要約】【課題】アンテナを接続したままの分配器を介して、アンテナからの放送信号とネットワークからの放送信号をテレビジョン受像器に供給し、且つ、各放送信号による映像を見ることができるようにする。【解決手段】信号強度が閾値未満であり（Ｓ１：ＮＯ）、かつ、アンテナ映像が優先なら（Ｓ３：アンテナ映像）、ネット信号をカットするためのカット実行信号を送信し（Ｓ５）、信号強度が閾値以上にならないなら（Ｓ７：ＮＯ）、出力信号を増幅するための出力信号増幅信号を送信する（Ｓ９）一方、信号強度が閾値未満であり（Ｓ１：ＮＯ）、かつ、ネット映像が優先なら（Ｓ３：ネット映像）、ネット信号を増幅するためのネット信号増幅信号を送信する（Ｓ１１）。【選択図】図４
2013168911.tif 000002
【特許請求の範囲】
【請求項１】
アンテナで受信した放送信号であるアンテナ信号が入力される入力ポートを有する分配器の第１の出力ポートに対してネットワークから受信した放送信号であるネット信号を入力する第１装置と、前記分配器の第２の出力ポートから出力される放送信号である出力信号をテレビジョン受像器に入力する第２装置とを備え、
前記第１装置は、
前記ネット信号をカットするための信号カット部と、前記ネット信号がカットされなかった場合に当該ネット信号を増幅し、前記第１の出力ポートに入力するための第１ブースタとを備え、
前記第２装置は、
前記出力信号を増幅し、前記テレビジョン受像器に入力するための第２ブースタと、
前記テレビジョン受像器において前記アンテナ信号による映像と前記ネット信号による映像のどちらを優先して見るようになっているかを示す優先情報を記憶する優先情報記憶部と、
前記優先して見るようになっていない方の映像に対応する信号の強度に対する前記優先して見るようになっている方の映像の信号の強度の割合である信号強度を測定する信号強度測定部と、
前記信号強度が所定の閾値未満であり、かつ、前記優先情報が前記アンテナ信号による映像を優先して見ることを示しているなら、前記信号カット部に対し、前記ネット信号をカットするためのカット実行信号を送信し、前記信号強度が閾値以上にならないなら、前記第２ブースタに対し、前記出力信号を増幅するための出力信号増幅信号を送信する一方、前記信号強度が当該閾値未満であり、かつ、前記優先情報が前記ネット信号による映像を優先して見ることを示しているなら、前記第１ブースタに対し、前記ネット信号を増幅するためのネット信号増幅信号を送信する制御部と
を備えることを特徴とする放送信号供給システム。
【請求項２】
前記制御部は、
前記優先情報が前記アンテナ信号による映像を優先して見ることを示している場合において、前記ネット信号の強度に対する前記アンテナ信号の強度の割合である信号強度が閾値以上にならないなら、前記信号カット部に前記ネット信号をカットするためのカット中止信号を送信するとともに、前記信号強度測定部に対し前記アンテナ信号の強度に対する前記ネット信号の強度の割合である信号強度を測定するように指示し、当該信号強度が閾値以上にならないなら、前記第１ブースタに前記ネット信号増幅信号を送信する一方、前記優先情報が前記ネット信号による映像を優先して見ることを示している場合において、前記アンテナ信号の強度に対する前記ネット信号の強度の割合である信号強度が閾値以上にならないなら、前記信号カット部に前記カット実行信号を送信するとともに、前記信号強度測定部に対し前記ネット信号の強度に対する前記アンテナ信号の強度の割合である信号強度を測定するように指示し、当該信号強度が閾値以上にならないなら、前記第２ブースタに前記出力信号増幅信号を送信する
ことを特徴とする請求項１記載の放送信号供給システム。
【発明の詳細な説明】
【技術分野】
【０００１】
本発明は、アンテナを接続したままの分配器を介して、アンテナからの放送信号とネットワークからの放送信号をテレビジョン受像器に供給し、且つ、各放送信号による映像を見ることができるようにするための放送信号供給システムに関するものである。
【背景技術】
【０００２】
従来においては、アンテナで受信される放送信号（アンテナ信号）がテレビジョン受像器に供給され、これにより、テレビジョン受像器では、アンテナ信号による映像を見ることができる。以下、映像を見るとは、放送信号による音声を聞くことを含む意味として用いる。
【０００３】
図１０は、アンテナ信号がテレビジョン受像器に供給される様子を示す図である。  
アンテナ２は、受信した放送信号であるアンテナ信号２１を分配器３の入力ポート３１に入力する。分配器３はアンテナ信号２１を分配し、分配器３の出力ポート３２から出力されたアンテナ信号２１はテレビジョン受像器６１に入力される。分配器３の出力ポート３３から出力されたアンテナ信号２１はテレビジョン受像器６２に入力される。分配器３の出力ポート３４から出力されたアンテナ信号２１はテレビジョン受像器６３に入力される。これにより、各テレビジョン受像器６１、６２および６３では、アンテナ信号２１による映像を見ることができる。
【０００４】
図１１は、アンテナ２に代えて、ネットワークから送信される放送信号（ネット信号）を受信する回線終端装置を分配器３に取り付ける様子を示す図である。
【０００５】
近年では、通信用のネットワーク４からも放送信号（ネット信号４１）が送信されるが、ネット信号４１を受信するには、回線終端装置５が必要となる。つまり、ネット信号４１による映像を各テレビジョン受像器６１、６２および６３で見るには、アンテナ２と分配器３を結ぶケーブル２３を分配器３から取り外し、回線終端装置５を分配器３に取り付ける必要がある。しかしながら、分配器３は、多くの場合、屋根裏などの作業しづらい場所に設置されており、このような作業は容易ではない。
【先行技術文献】
【特許文献】
【０００６】
【特許文献１】特開２００８−１６０３３６号公報
【発明の概要】
【発明が解決しようとする課題】
【０００７】
図１２は、作業が容易で、かつ、ネット信号４１をテレビジョン受像器に供給すべく考えられた仕組みを示す図である。
【０００８】
回線終端装置５は、入力ポート３１でなく、例えば、テレビジョン受像器６１を取り外した出力ポート３２に接続される。入力ポート３１にはアンテナ２が接続されたままである。
【０００９】
分配器３の内部では、各出力ポート３２、３３および３４が接続されているので、出力ポート３２に入力されたネット信号４１は、アンテナ信号２１と混合され、混合された出力信号３０が出力される。
【００１０】
例えば、ネット信号４１の強度がアンテナ信号２１の強度に比べ極めて大きい場合は、テレビジョン受像器６２などにおいて、ネット信号４１による映像を見ることができる。
【００１１】
しかしながら、例えば、各強度が同程度である場合、テレビジョン受像器６２などは、ネット信号４１とアンテナ信号２１を区別できず、ネット信号４１による映像を見ることができない
本発明は、上記の課題に鑑みてなされたものであり、その目的とするところは、アンテナを接続したままの分配器を介して、アンテナからの放送信号とネットワークからの放送信号をテレビジョン受像器に供給し、且つ、各放送信号による映像を見ることができるようにするための放送信号供給システムを提供することにある。
【課題を解決するための手段】
【００１２】
上記の課題を解決するために、本発明に係る放送信号供給システムは、アンテナで受信した放送信号であるアンテナ信号が入力される入力ポートを有する分配器の第１の出力ポートに対してネットワークから受信した放送信号であるネット信号を入力する第１装置と、前記分配器の第２の出力ポートから出力される放送信号である出力信号をテレビジョン受像器に入力する第２装置とを備え、前記第１装置は、前記ネット信号をカットするための信号カット部と、前記ネット信号がカットされなかった場合に当該ネット信号を増幅し、前記第１の出力ポートに入力するための第１ブースタとを備え、前記第２装置は、前記出力信号を増幅し、前記テレビジョン受像器に入力するための第２ブースタと、前記テレビジョン受像器において前記アンテナ信号による映像と前記ネット信号による映像のどちらを優先して見るようになっているかを示す優先情報を記憶する優先情報記憶部と、前記優先して見るようになっていない方の映像に対応する信号の強度に対する前記優先して見るようになっている方の映像の信号の強度の割合である信号強度を測定する信号強度測定部と、前記信号強度が所定の閾値未満であり、かつ、前記優先情報が前記アンテナ信号による映像を優先して見ることを示しているなら、前記信号カット部に対し、前記ネット信号をカットするためのカット実行信号を送信し、前記信号強度が閾値以上にならないなら、前記第２ブースタに対し、前記出力信号を増幅するための出力信号増幅信号を送信する一方、前記信号強度が当該閾値未満であり、かつ、前記優先情報が前記ネット信号による映像を優先して見ることを示しているなら、前記第１ブースタに対し、前記ネット信号を増幅するためのネット信号増幅信号を送信する制御部とを備えることを特徴とする。
【発明の効果】
【００１３】
本発明によれば、制御部は、信号強度が閾値未満であり、かつ、優先情報がアンテナ信号による映像を優先して見ることを示しているなら、信号カット部に対し、ネット信号をカットするためのカット実行信号を送信し、信号強度が閾値以上にならないなら、第２ブースタに対し、出力信号を増幅するための出力信号増幅信号を送信する一方、信号強度が当該閾値未満であり、かつ、優先情報がネット信号による映像を優先して見ることを示しているなら、第１ブースタに対し、ネット信号を増幅するためのネット信号増幅信号を送信するので、信号強度（優先して見るようになっていない方の映像に対応する信号の強度に対する優先して見るようになっている方の映像の信号の強度の割合である信号強度）を閾値以上にすることが可能であり、つまり、テレビジョン受像器は各放送信号を区別でき、その結果、アンテナを接続したままの分配器を介して、アンテナからの放送信号とネットワークらの放送信号をテレビジョン受像器に供給し、且つ、各放送信号による映像を見ることを可能にすることができる。
【図面の簡単な説明】
【００１４】
【図１】本実施の形態に係る放送信号供給システムの構成を示す図である。
【図２】第１装置１１の概略構成を示す機能ブロック図である。
【図３】第２装置１２の概略構成を示す機能ブロック図である。
【図４】第２装置１２の初期動作を示すフローチャートである。
【図５】放送信号供給システム１の初期動作を示すシーケンス図である。
【図６】第２装置１２が初期動作を終え、しかも、アンテナ映像が優先である場合の動作を示すフローチャートである。
【図７】第２装置１２が初期動作を終え、しかも、ネット映像が優先である場合の動作を示すフローチャートである。
【図８】第２装置１２が初期動作を終え、しかも、アンテナ映像が優先である場合における放送信号供給システム１の動作を示すシーケンス図である。
【図９】第２装置１２が初期動作を終え、しかも、ネット映像が優先である場合における放送信号供給システム１の動作を示すシーケンス図である。
【図１０】従来においてアンテナ信号がテレビジョン受像器に供給される様子を示す図である。
【図１１】アンテナ２に代えて、ネットワーク４から送信される放送信号（ネット信号４１）を受信する回線終端装置５を分配器３に取り付ける様子を示す図である。
【図１２】作業が容易で、かつ、ネット信号４１をテレビジョン受像器に供給すべく考えられた仕組みを示す図である。
【発明を実施するための形態】
【００１５】
以下、本発明の実施の形態について図面を参照して説明する。
【００１６】
図１は、本実施の形態に係る放送信号供給システムの構成を示す図である。  
放送信号供給システム１は、アンテナ２で受信した放送信号であるアンテナ信号２１が入力される入力ポート３１を有する分配器３の第１の出力ポート３２に対してネットワーク４から回線終端装置５を介して受信した放送信号であるネット信号４１を入力する第１装置１１と、分配器３の第２の出力ポート３３から出力される放送信号である出力信号３０をテレビジョン受像器６に入力する第２装置１２とを備える。第１装置１１と第２装置１２は、第１装置１１を制御するための信号等を伝達するケーブル１３または無線で接続されている。例えば、第１装置１１は、回線終端装置５と同室に配置される。例えば、第２装置１２は、テレビジョン受像器６と同室に配置される。
【００１７】
なお、図示しないが、回線終端装置５と第１装置１１の間に別の分配器を設け、その分配器の入力ポートに回線終端装置５を接続し、第１装置１１は、その分配器の出力ポートの１つに接続してもよい。また、その分配器の別の出力ポートに別のテレビジョン受像器を接続してもよい。また、分配器３の出力ポート数を増やし、出力ポートに別のテレビジョン受像器を接続してもよい。また、第２装置１２とテレビジョン受像器６の間に別の分配器を設け、その分配器の入力ポートに第２装置１２を接続し、テレビジョン受像器６は、その分配器の出力ポートの１つに接続し、その分配器の別の出力ポートに別のテレビジョン受像器を接続してもよい。
【００１８】
図２は、第１装置１１の概略構成を示す機能ブロック図である。  
第１装置１１は、第１装置１１で受信したネット信号４１をカットするための信号カット部１１１と、ネット信号４１がカットされなかった場合にネット信号４１を増幅し、出力ポート３２に入力するための第１ブースタ１１２とを備える。
【００１９】
信号カット部１１１は、通常はネット信号４１をカットしておらず、カット実行信号Ｅを受信したならネット信号４１をカットし、カット中止信号Ｄを受信したならネット信号４１をカットするのを中止するようになっている。
【００２０】
第１ブースタ１１２は、ネット信号増幅信号１１２Ｓを受信したならネット信号４１を増幅するようになっている。第１ブースタ１１２は、ここでは、可変ブースタである。つまり、増幅度は可変である。
【００２１】
図３は、第２装置１２の概略構成を示す機能ブロック図である。  
第２装置１２は、出力信号３０を増幅し、テレビジョン受像器６に入力するための第２ブースタ１２１と、テレビジョン受像器６においてアンテナ信号２１による映像（以下、アンテナ映像）とネット信号４１による映像（以下、ネット映像）のどちらを優先して見るようになっているかを示す優先情報を記憶する優先情報記憶部１２２と、第２ブースタ１２１から出力される出力信号３０における優先して見るようになっていない方の映像に対応する信号の強度（以下、非優先信号強度という）に対する優先して見るようになっている方の映像の信号の強度（以下、優先信号強度という）の割合である信号強度を測定する信号強度測定部１２３と、信号強度と優先情報に基づいて、信号カット部１１１、第１ブースタ１１２、第２ブースタ１２１および信号強度測定部１２３の動作を制御する制御部１２４とを備える。信号強度の単位は例えばｄＢ（デシベル）である。
【００２２】
第２ブースタ１２１は、出力信号増幅信号１２１Ｓを受信したなら出力信号３０を増幅するようになっている。第２ブースタ１２１は、ここでは、可変ブースタである。つまり、増幅度は可変である。
【００２３】
制御部１２４は、信号強度の閾値ＴＨを記憶する記憶領域１２４１を備えている。テレビジョン受像器６においては、信号強度が閾値ＴＨ以上なら、アンテナ映像とネット映像を区別でき、つまり、映像を見ることができるようになっている。閾値ＴＨの単位はｄＢ（デシベル）である。
【００２４】
信号強度測定部１２３は、優先信号強度に対する非優先信号強度の割合である信号強度も測定できるようになっている。
【００２５】
図４は、第２装置１２の初期動作を示すフローチャートである。  
ここでは、信号カット部１１１は、ネット信号４１をカットしておらず、第１ブースタ１１２はネット信号４１を増幅しておらず、第２ブースタ１２１は、出力信号３０を増幅していないこととする。
【００２６】
また、信号強度測定部１２３は、優先情報記憶部１２２の優先情報がアンテナ映像を優先して見ることを示している（以下、アンテナ映像が優先という）かネット映像を優先して見ることを示している（以下、ネット映像が優先という）かを判定し、アンテナ映像が優先であるなら、出力信号３０におけるネット信号４１の強度（以下、ネット信号強度という）に対するアンテナ信号２１の強度（以下、アンテナ信号強度という）の割合である信号強度を測定する一方、ネット映像が優先であるなら、アンテナ信号強度に対するネット信号強度の割合である信号強度を測定し、その後も、測定を継続することとする。
【００２７】
制御部１２４は、信号強度が閾値ＴＨ以上か否かを判定し（Ｓ１）、閾値ＴＨ以上（Ｓ１：ＹＥＳ）なら、処理を終える。信号強度が閾値ＴＨ以上なので、優先されている方の映像をテレビジョン受像器６で見ることができる。
【００２８】
一方、制御部１２４は、信号強度が閾値ＴＨ未満（Ｓ１：ＮＯ）なら、信号強度測定部１２３と同様に、優先情報記憶部１２２の優先情報を基にアンテナ映像とネット映像のどちらが優先かを判定する（Ｓ３）。
【００２９】
制御部１２４は、アンテナ映像が優先（Ｓ３：アンテナ映像）なら、信号カット部１１１に対し、カット実行信号Ｅを送信する（Ｓ５）。
【００３０】
次に、制御部１２４は、信号強度が閾値ＴＨ以上か否かを判定し（Ｓ７）、閾値ＴＨ以上（Ｓ７：ＹＥＳ）なら、処理を終える。信号強度が閾値ＴＨ以上なので、アンテナ映像を見ることができる。
【００３１】
一方、制御部１２４は、信号強度が閾値ＴＨ未満（Ｓ７：ＮＯ）なら、第２ブースタ１２１に対し、出力信号増幅信号１２１Ｓを送信し（Ｓ９）、信号強度が閾値ＴＨ以上になったら、処理を終える。信号強度が閾値ＴＨ以上なので、アンテナ映像を見ることができる。
【００３２】
一方、制御部１２４は、ネット映像が優先（Ｓ３：ネット映像）なら、第１ブースタ１１２に対し、ネット信号増幅信号１１２Ｓを送信し（Ｓ１１）、信号強度が閾値ＴＨ以上になったら、処理を終える。信号強度が閾値ＴＨ以上なので、ネット映像を見ることができる。
【００３３】
図５は、放送信号供給システム１の初期動作を示すシーケンス図である。  
ここでは、信号カット部１１１は、ネット信号４１をカットしておらず、第１ブースタ１１２はネット信号４１を増幅しておらず、第２ブースタ１２１は、出力信号３０を増幅していないこととする。また、信号強度測定部１２３は、信号強度の測定を継続していることとする。
【００３４】
制御部１２４は、信号強度が閾値ＴＨ以上か否かを判定する（Ｔ１：信号強度が閾値ＴＨ以上？）。
【００３５】
制御部１２４は、信号強度が閾値ＴＨ未満で、且つ、アンテナ映像が優先なら、つまり、アンテナ映像が見られないので、信号カット部１１１に対し、カット実行信号Ｅを送信する（Ｔ３）。
【００３６】
信号カット部１１１は、カット実行信号Ｅが送信されたので、ネット信号４１をカットし（Ｔ５）、ネット信号４１をカットしたことを示す信号を制御部１２４に送信する（Ｔ７）。
【００３７】
制御部１２４は、信号強度が閾値ＴＨ以上か否かを判定する（Ｔ１１）。  
制御部１２４は、信号強度が閾値ＴＨ未満なら、今度は、第２ブースタ１２１に対し、出力信号増幅信号１２１Ｓを送信する（Ｔ１３）。
【００３８】
第２ブースタ１２１は、出力信号増幅信号１２１Ｓが送信されたので、出力信号３０を増幅する（Ｔ１５）。これにより、信号強度が閾値ＴＨ以上となり、アンテナ映像を見ることができるようになる。
【００３９】
一方、制御部１２４は、信号強度が閾値ＴＨ未満で、且つ、ネット映像が優先なら、つまり、ネット映像が見られないので、第１ブースタ１１２に対し、ネット信号増幅信号１１２Ｓを送信する（Ｔ２１）。
【００４０】
第１ブースタ１１２は、ネット信号増幅信号１１２Ｓが送信されたので、ネット信号４１を増幅する（Ｔ２３）。これにより、信号強度が閾値ＴＨ以上となり、ネット映像を見ることができるようになる。
【００４１】
図６は、第２装置１２が初期動作を終え、しかも、アンテナ映像が優先である場合の動作を示すフローチャートである。
【００４２】
ここでは、信号カット部１１１は、ネット信号４１をカットしており、優先されるアンテナ映像を見ることができ、信号強度測定部１２３は、信号強度の測定を継続していることとする。
【００４３】
制御部１２４は、信号強度が閾値ＴＨ以上か否かを判定し（Ｓ２１）、閾値ＴＨ以上（Ｓ２１：ＹＥＳ）なら、ステップＳ２１に戻る。信号強度が閾値ＴＨ以上なので、アンテナ映像を続けて見ることができる。
【００４４】
一方、制御部１２４は、アンテナ信号２１が弱くなり、信号強度が閾値ＴＨ未満（Ｓ２１：ＮＯ）なら、つまり、アンテナ映像が見られなくなったなら、第２ブースタ１２１に対し、出力信号増幅信号１２１Ｓを送信する（Ｓ２３）。
【００４５】
次に、制御部１２４は、信号強度が閾値ＴＨ以上か否かを判定し（Ｓ２５）、閾値ＴＨ以上（Ｓ２５：ＹＥＳ）なら、ステップＳ２１に戻る。信号強度が閾値ＴＨ以上なので、アンテナ映像を続けて見ることができる。
【００４６】
一方、制御部１２４は、例えば、第２ブースタ１２１の増幅度が不足で、信号強度が閾値ＴＨ未満（Ｓ２５：ＮＯ）なら、アンテナ映像の代わりにネット映像を見られるようにすべく、信号カット部１１１に対し、カット中止信号Ｄを送信する（Ｓ２７）。
【００４７】
また、制御部１２４は、信号強度測定部１２３に対し、アンテナ信号強度に対するネット信号強度の割合である信号強度（非優先信号強度）を測定するように指示する（Ｓ２８）。これにより、信号強度測定部１２３は、以降、アンテナ信号強度に対するネット信号強度の割合である信号強度（非優先信号強度）を測定する。
【００４８】
次に、制御部１２４は、信号強度（アンテナ信号強度に対するネット信号強度の割合）が閾値ＴＨ以上か否かを判定し（Ｓ２９）、閾値ＴＨ以上（Ｓ２９：ＹＥＳ）なら、ステップＳ２１に戻る。信号強度が閾値ＴＨ以上なので、アンテナ映像の代わりにネット映像を見ることができる。
【００４９】
一方、制御部１２４は、例えば、ネット信号４１の強度が弱く、信号強度が閾値ＴＨ未満（Ｓ２９：ＮＯ）なら、今度は第１ブースタ１１２に対し、ネット信号増幅信号１１２Ｓを送信し（Ｓ３１）、信号強度が閾値ＴＨ以上になったら、ステップＳ２１に戻る。信号強度が閾値ＴＨ以上なので、アンテナ映像の代わりにネット映像を見ることができる。
【００５０】
図７は、第２装置１２が初期動作を終え、しかも、ネット映像が優先である場合の動作を示すフローチャートである。
【００５１】
ここでは、信号カット部１１１は、ネット信号４１をカットしておらず、優先されるネット映像を見ることができ、信号強度測定部１２３は、信号強度の測定を継続していることとする。
【００５２】
制御部１２４は、信号強度が閾値ＴＨ以上か否かを判定し（Ｓ４１）、閾値ＴＨ以上（Ｓ４１：ＹＥＳ）なら、ステップＳ４１に戻る。信号強度が閾値ＴＨ以上なので、ネット映像を続けて見ることができる。
【００５３】
一方、制御部１２４は、例えば、ネット信号４１が弱くなり、信号強度が閾値ＴＨ未満（Ｓ４１：ＮＯ）なら、つまり、ネット映像が見られなくなったなら、第１ブースタ１１２に対し、ネット信号増幅信号１１２Ｓを送信する（Ｓ４３）。
【００５４】
次に、制御部１２４は、信号強度が閾値ＴＨ以上か否かを判定し（Ｓ４５）、閾値ＴＨ以上（Ｓ４５：ＹＥＳ）なら、ステップＳ４１に戻る。信号強度が閾値ＴＨ以上なので、ネット映像を続けて見ることができる。
【００５５】
一方、制御部１２４は、例えば、第１ブースタ１１２の増幅度が不足で、信号強度が閾値ＴＨ未満（Ｓ４５：ＮＯ）なら、つまり、ネット映像が見られなくなったなら、ネット映像の代わりにアンテナ映像を見られるようにすべく、信号カット部１１１に対し、カット実行信号Ｅを送信する（Ｓ４７）。
【００５６】
また、制御部１２４は、信号強度測定部１２３に対し、ネット信号強度に対するアンテナ信号強度の割合である信号強度（非優先信号強度）を測定するように指示する（Ｓ４８）。これにより、信号強度測定部１２３は、以降、ネット信号強度に対するアンテナ信号強度の割合である信号強度を測定する。
【００５７】
次に、制御部１２４は、信号強度（ネット信号強度に対するアンテナ信号強度の割合）が閾値ＴＨ以上か否かを判定し（Ｓ４９）、閾値ＴＨ以上（Ｓ４９：ＹＥＳ）なら、ステップＳ４１に戻る。信号強度が閾値ＴＨ以上なので、ネット映像の代わりにアンテナ映像を見ることができる。
【００５８】
一方、制御部１２４は、例えば、アンテナ信号２１が弱く、信号強度が閾値ＴＨ未満（Ｓ４９：ＮＯ）なら、つまり、アンテナ映像が見られないなら、第２ブースタ１２１に対し、出力信号増幅信号１２１Ｓを送信し（Ｓ５１）、信号強度が閾値ＴＨ以上になったら、ステップＳ４１に戻る。信号強度が閾値ＴＨ以上なので、ネット映像の代わりにアンテナ映像を見ることができる。
【００５９】
図８は、第２装置１２が初期動作を終え、しかも、アンテナ映像が優先である場合における放送信号供給システム１の動作を示すシーケンス図である。
【００６０】
ここでは、信号カット部１１１は、ネット信号４１をカットしており、優先されるアンテナ映像を見ることができ、信号強度測定部１２３は、信号強度（ネット信号強度に対するアンテナ信号強度の割合）の測定を継続していることとする。
【００６１】
制御部１２４は、信号強度が閾値ＴＨ以上か否かを判定する（Ｔ３１）。
【００６２】
制御部１２４は、例えば、アンテナ信号２１が弱く、信号強度が閾値ＴＨ未満なら、つまり、アンテナ映像が見られないなら、第２ブースタ１２１に対し、出力信号増幅信号１２１Ｓを送信する（Ｔ３３）。
【００６３】
第２ブースタ１２１は、出力信号増幅信号１２１Ｓが送信されたので、出力信号３０を増幅する（Ｔ３５）。これにより、信号強度が閾値ＴＨ以上となり、アンテナ映像を見ることができるようになる。
【００６４】
一方、制御部１２４は、例えば、第２ブースタ１２１の増幅度が不足で、信号強度が閾値ＴＨ未満なら、つまり、アンテナ映像が見られないなら、アンテナ映像の代わりにネット映像を見られるようにすべく、信号カット部１１１に対し、カット中止信号Ｄを送信する（Ｔ４１）。
【００６５】
また、制御部１２４は、信号強度測定部１２３に対し、アンテナ信号強度に対するネット信号強度の割合である信号強度（非優先信号強度）を測定するように指示する（Ｔ４２）。これにより、信号強度測定部１２３は、以降、アンテナ信号強度に対するネット信号強度の割合である信号強度を測定する。
【００６６】
信号カット部１１１は、カット中止信号Ｄが送信されたので、ネット信号４１をカットするのを中止し（Ｔ４３）、ネット信号４１をカットするのを中止したことを示す信号を制御部１２４に送信する（Ｔ４５）。
【００６７】
制御部１２４は、信号強度（アンテナ信号強度に対するネット信号強度の割合）が閾値ＴＨ以上か否かを判定する（Ｔ４６）。ネット信号４１をカットするのが中止されたので、例えば、信号強度が閾値ＴＨ以上となり、アンテナ映像の代わりにネット映像を見ることができるようになる。
【００６８】
一方、制御部１２４は、例えば、ネット信号４１が弱く、信号強度が閾値ＴＨ未満なら、つまり、ネット映像が見られないなら、第１ブースタ１１２に対し、ネット信号増幅信号１１２Ｓを送信する（Ｔ４７）。
【００６９】
第１ブースタ１１２は、ネット信号増幅信号１１２Ｓが送信されたので、ネット信号４１を増幅する（Ｔ４９）。これにより、信号強度が閾値ＴＨ以上となり、アンテナ映像の代わりにネット映像を見ることができるようになる。
【００７０】
図９は、第２装置１２が初期動作を終え、しかも、ネット映像が優先である場合における放送信号供給システム１の動作を示すシーケンス図である。
【００７１】
ここでは、信号カット部１１１は、ネット信号４１をカットしておらず、優先されるネット映像を見ることができ、信号強度測定部１２３は、信号強度（アンテナ信号強度に対するネット信号強度の割合）の測定を継続していることとする。
【００７２】
制御部１２４は、信号強度が閾値ＴＨ以上か否かを判定する（Ｔ５１）。  
制御部１２４は、例えば、ネット信号４１が弱く、信号強度が閾値ＴＨ未満なら、つまり、ネット映像が見られなくなったなら、第１ブースタ１１２に対し、ネット信号増幅信号１１２Ｓを送信する（Ｔ５３）。
【００７３】
第１ブースタ１１２は、ネット信号増幅信号１１２Ｓが送信されたので、ネット信号４１を増幅する（Ｔ５５）。
【００７４】
制御部１２４は、信号強度が閾値ＴＨ以上か否かを判定する（Ｔ５７：信号強度が閾値ＴＨ以上？）。例えば、ネット信号４１が増幅されたので、信号強度が閾値ＴＨ以上となり、ネット映像を見ることができるようになる。
【００７５】
一方、制御部１２４は、第１ブースタ１１２の増幅度が不足で、信号強度が閾値ＴＨ未満なら、つまり、ネット映像が見られないなら、ネット映像の代わりにアンテナ映像を見られるようにすべく、信号カット部１１１に対し、カット実行信号Ｅを送信する（Ｔ６１）。
【００７６】
次に、制御部１２４は、信号強度測定部１２３に対し、ネット信号強度に対するアンテナ信号強度の割合である信号強度（非優先信号強度）を測定するように指示する（Ｔ６２）。これにより、信号強度測定部１２３は、以降、ネット信号強度に対するアンテナ信号強度の割合である信号強度を測定する。
【００７７】
信号カット部１１１は、カット実行信号Ｅが送信されたので、ネット信号４１をカットし（Ｔ６３）、ネット信号４１をカットしたことを示す信号を制御部１２４に送信する（Ｔ６５）。
【００７８】
制御部１２４は、信号強度（ネット信号強度に対するアンテナ信号強度の割合）が閾値ＴＨ以上か否かを判定する（Ｔ６７）。ネット信号４１がカットされたので、例えば、信号強度が閾値ＴＨ以上となり、ネット映像の代わりにアンテナ映像を見ることができるようになる。
【００７９】
一方、制御部１２４は、例えば、アンテナ信号２１が弱く、信号強度が閾値ＴＨ未満なら、つまり、アンテナ映像が見られないなら、第２ブースタ１２１に対し、出力信号増幅信号１２１Ｓを送信する（Ｔ７１）。
【００８０】
第２ブースタ１２１は、出力信号増幅信号１２１Ｓが送信されたので、出力信号３０を増幅する（Ｔ７５）。これにより、信号強度が閾値ＴＨ以上となり、ネット映像の代わりにアンテナ映像を見ることができるようになる。
【００８１】
（実施例）
本実施の形態では、アンテナ信号２１、ネット信号４１の具体例については説明しなかったが、例えば、アンテナ信号２１は、普及度の高いＵＨＦアンテナで受信できる地上波ディジタル放送の放送波とすることができる。一方、ＢＳ放送やＣＳ放送の放送波は、ＵＨＦアンテナでは受信できないが、近年ではネットワークから受信できるので、ネット信号４１は、そのようなＢＳ放送やＣＳ放送の放送波とすることができる。
【００８２】
以上のように、本実施の形態に係る放送信号供給システム１は、アンテナ２で受信した放送信号であるアンテナ信号２１が入力される入力ポートを有する分配器３の第１の出力ポート３２に対してネットワーク４から受信した放送信号であるネット信号４１を入力する第１装置１１と、分配器３の第２の出力ポート３３から出力される放送信号である出力信号３０をテレビジョン受像器６に入力する第２装置１２とを備える。
【００８３】
第１装置１１は、ネット信号４１をカットするための信号カット部１１１と、ネット信号４１がカットされなかった場合にネット信号４１を増幅し、第１の出力ポート３２に入力するための第１ブースタ１１２とを備える。
【００８４】
第２装置１２は、出力信号３０を増幅し、テレビジョン受像器６に入力するための第２ブースタ１２１と、テレビジョン受像器６においてアンテナ信号２１による映像とネット信号４１による映像のどちらを優先して見るようになっているかを示す優先情報を記憶する優先情報記憶部１２２と、優先して見るようになっていない方の映像に対応する信号の強度に対する優先して見るようになっている方の映像の信号の強度の割合である信号強度を測定する信号強度測定部１２３と、信号強度が閾値未満であり（Ｓ１：ＮＯ）、かつ、優先情報がアンテナ信号２１による映像を優先して見ることを示しているなら（Ｓ３：アンテナ映像）、信号カット部１１１に対し、ネット信号４１をカットするためのカット実行信号Ｅを送信し（Ｓ５）、信号強度が閾値以上にならないなら（Ｓ７：ＮＯ）、第２ブースタ１２１に対し、出力信号３０を増幅するための出力信号増幅信号１２１Ｓを送信する（Ｓ９）一方、信号強度が閾値未満であり（Ｓ１：ＮＯ）、かつ、優先情報がネット信号４１による映像を優先して見ることを示しているなら（Ｓ３：ネット映像）、第１ブースタ１１２に対し、ネット信号４１を増幅するためのネット信号増幅信号１１２Ｓを送信する（Ｓ１１）制御部１２４とを備える。
【００８５】
よって、優先信号強度（優先して見るようになっていない方の映像に対応する信号の強度に対する優先して見るようになっている方の映像の信号の強度の割合である信号強度）を閾値以上にすることが可能であり、つまり、テレビジョン受像器６は各放送信号を区別でき、その結果、アンテナ２を接続したままの分配器３を介して、アンテナ２からの放送信号（アンテナ信号２１）とネットワーク４からの放送信号（ネット信号４１）をテレビジョン受像器６に供給し、且つ、各放送信号による映像を見ることを可能にすることができる。
【００８６】
また、制御部１２４は、優先情報がアンテナ信号２１による映像を優先して見ることを示している場合において（図６）、ネット信号４１の強度に対するアンテナ信号２１の強度の割合である信号強度が閾値以上にならないなら（Ｓ２５：ＮＯ）、信号カット部１１１にカット中止信号Ｄを送信する（Ｓ２７）とともに、信号強度測定部１２３に対しアンテナ信号２１の強度に対するネット信号４１の強度の割合である信号強度（非優先信号強度）を測定するように指示し（Ｓ２８）、当該信号強度が閾値以上にならないなら（Ｓ２９：ＮＯ）、第１ブースタ１１２にネット信号増幅信号１１２Ｓを送信する（Ｓ３１）一方、優先情報がネット信号４１による映像を優先して見ることを示している場合において（図７）、アンテナ信号２１の強度に対するネット信号４１の強度の割合である信号強度が閾値以上にならないなら（Ｓ４５：ＮＯ）、信号カット部１１１にカット実行信号Ｅを送信する（Ｓ４７）とともに、信号強度測定部１２３に対しネット信号４１の強度に対するアンテナ信号２１の強度の割合である信号強度（非優先信号強度）を測定するように指示し（Ｓ４８）、当該信号強度が閾値以上にならないなら（Ｓ４９：ＮＯ）、第２ブースタ１２１に出力信号増幅信号１２１Ｓを送信する（Ｓ５１）。
【００８７】
よって、アンテナ映像を見ている場合において、例えば、アンテナ信号２１の強度が低下し、アンテナ映像が見られなくなったなら、アンテナ映像に代えて、ネット映像を見ることを可能にすることができ、一方、ネット映像を見ている場合において、例えば、ネット信号４１の強度が低下し、ネット映像が見られなくなったなら、ネット映像に代えて、アンテナ映像を見ることを可能にすることができる。
【００８８】
なお、本実施の形態では、第１ブースタ１１２および第２ブースタ１２１は可変ブースタとしたが、増幅度は固定でもよい。
【符号の説明】
【００８９】
１  放送信号供給システム
２  アンテナ
３  分配器
４  ネットワーク
５  回線終端装置
６  テレビジョン受像器
１１  第１装置
１２  第２装置
２１  アンテナ信号
３０  出力信号
３１  入力ポート
３２  出力ポート（第１の出力ポート）
３３  出力ポート（第２の出力ポート）
４１  ネット信号
１１１  信号カット部
１１２  第１ブースタ
１１２Ｓ  ネット信号増幅信号
１２１  第２ブースタ
１２１Ｓ  出力信号増幅信号
１２２  優先情報記憶部
１２３  信号強度測定部
１２４  制御部
１２４１  記憶領域
Ｄ  カット中止信号
Ｅ  カット実行信号
ＴＨ  閾値
【図１】
2013168911.tif 000003
【図２】
2013168911.tif 000004
【図３】
2013168911.tif 000005
【図４】
2013168911.tif 000006
【図５】
2013168911.tif 000007
【図６】
2013168911.tif 000008
【図７】
2013168911.tif 000009
【図８】
2013168911.tif 000010
【図９】
2013168911.tif 000011
【図１０】
2013168911.tif 000012
【図１１】
2013168911.tif 000013
【図１２】
2013168911.tif 000014